(57)【要約】【課題】デジタル伝送の波形等化後のデータ誤りを所定の尤度テーブルを用いて訂正する復号器及び受信装置を提供する。【解決手段】本発明の復号器５０は、変調方式に応じて復調した信号から、予め規定された信号点配置で周期的に伝送されるパイロット信号を抽出するパイロット信号抽出部５２とパイロット信号点配置と、送信側信号点で規定されている送信信号点配置とを用いて、１つ以上の尤度比計算用理想シンボル点配置を決定する尤度テーブルリスト生成部５４と、この１つ以上の尤度比計算用理想シンボル点を用いて、波形等化後のデータ誤りを評価するＢＥＲ評価部５７と、この評価において最も伝送特性性能の高くなる尤度比計算用理想シンボル点を、１つ以上の尤度比計算用理想シンボル点から切り替えながら選定する尤度テーブル切り替え部５５とを備える。【選択図】図１
2010178274.tif 000002
【特許請求の範囲】
【請求項１】
デジタル伝送の波形等化後のデータ誤りを所定の尤度テーブルを用いて訂正する復号器であって、
変調方式に応じて復調した信号から、予め規定された信号点配置で周期的に伝送されるパイロット信号を抽出する既知信号抽出手段と、
該抽出したパイロット信号の信号点を表すパイロット信号点配置と、予め定められた送信側信号点で規定されている送信信号点配置とを用いて、前記変調方式によって定まる同一振幅の種類に応じた数からなる１つ以上の尤度比計算用理想シンボル点配置を決定する理想シンボル決定手段と、
前記１つ以上の尤度比計算用理想シンボル点配置を用いて、波形等化後のデータ誤りを評価する伝送特性評価手段と、
前記評価において最も伝送特性性能の高くなる尤度比計算用理想シンボル点配置を、前記１つ以上の尤度比計算用理想シンボル点から切り替えながら選定し、主信号の通常受信時の復号時に用いる尤度テーブルを決定する尤度テーブル切り替え手段と、
を備えることを特徴とする、復号器。
【請求項２】
前記変調方式は、多値変調方式からなり、
前記１つ以上の尤度比計算用理想シンボル点配置は、２つ以上の尤度比計算用理想シンボル点配置を構成することを特徴とする、請求項１に記載の復号器。
【請求項３】
前記波形等化は、適応等化器からなることを特徴とする、請求項１又は２に記載の復号器。
【請求項４】
前記所定の尤度テーブルを用いてＬＤＰＣ復号を行うことを特徴とする、請求項１〜３のいずれか一項に記載の復号器。
【請求項５】
請求項４に記載の復号器を備えることを特徴とする受信装置。
【発明の詳細な説明】
【技術分野】
【０００１】
本発明は、衛星伝送路等で発生する歪補償技術に関し、特に、デジタル伝送方式の復号器及び受信装置に関する。
【背景技術】
【０００２】
デジタル伝送方式では、各サービスで利用可能な周波数帯域幅において、より多くの情報が伝送可能となるように、多値変調方式がよく用いられる。周波数利用効率を高めるには、変調信号１シンボル当たりに割り当てるビット数（変調多値数）を高める必要があるが、周波数１Ｈｚあたりに伝送可能な情報速度の上限値と信号対雑音比の関係はシャノン限界で制限される。
【０００３】
衛星伝送路を用いた情報の伝送形態の一例として、衛星デジタル放送が挙げられる。例えば、図６に示すように、送信装置１００からの変調波信号は、衛星中継器３００を介して受信装置２００に伝送される。このような衛星デジタル放送において、衛星中継器３００は、主に、入力マルチプレクサ（ＩＭＵＸ）フィルター、進行波管増幅器（ＴＷＴＡ）、及び出力マルチプレクサ（ＯＭＵＸ）フィルターからなり、ＩＭＵＸフィルターによって１チャンネル分ごとに帯域抽出を行い、ＴＷＴＡにより利得制御を行って、ＯＭＵＸフィルターで不要周波数成分を抑圧する。
【０００４】
このように、衛星中継器３００には、ハードウェア制限上、電力効率のよいＴＷＴＡがよく用いられる。また、限られた衛星中継器３００のハードウェア制限を最大限生かすため、衛星中継器３００の出力が最大となるように飽和領域でＴＷＴＡを動作させることが望ましい。しかし、ＴＷＴＡで発生する歪は伝送劣化につながるため、送信装置１００及び受信装置２００の伝送信号には、このＴＷＴＡで発生する歪で生じる伝送劣化に強い変調方式として、位相変調がよく利用される。
【０００５】
現在、日本では衛星デジタル放送の伝送方式としてＩＳＤＢ−Ｓと呼ばれる伝送方式が用いられ、ＢＰＳＫ，ＱＰＳＫ，８ＰＳＫといった位相変調が利用可能である。また、欧州の伝送方式であるＤＶＢ−Ｓ２では振幅位相変調（ＡＰＳＫ）という振幅位相変調を利用し、さらなる周波数利用効率の改善を図った変調方式の実用化が成されている。たとえば、１６ＡＰＳＫであれば周波数利用効率は最大４ｂｐｓ／Ｈｚであり、３２ＡＰＳＫであれば最大５ｂｐｓ／Ｈｚで伝送することが可能である。
【０００６】
現在利用されている衛星デジタル放送では、誤り訂正符号を用いた受信装置における情報訂正が行われている。パリティビットと呼ばれる冗長信号を送るべき情報に付加することで信号の冗長度（符号化率）を制御し、雑音に対する耐性を上げることが可能である。誤り訂正符号と変調方式は密接に関わっており、冗長度を加味した周波数利用効率と信号対雑音比の関係はシャノン限界で定義される。シャノン限界に迫る性能を有する強力な誤り訂正符号の一つとしてＬＤＰＣ（Ｌｏｗ Ｄｅｎｓｉｔｙ Ｐａｒｉｔｙ Ｃｈｅｃｋ）符号が１９６２年にギャラガーによって提案されている（例えば、非特許文献１参照） 。
【０００７】
ＬＤＰＣ符号は、非常に疎な検査行列Ｈ（検査行列の要素が０と１からなり、且つ１の数が非常に少ない）により定義される線形符号である。また、ＬＤＰＣ符号は、符号長を大きくして適切な検査行列を用いることにより、シャノン限界に迫る伝送特性が得られる強力な誤り訂正符号であり、欧州の新しい衛星放送規格であるＤＶＢ−Ｓ２や広帯域無線アクセス規格ＩＥＥＥ８０２．１６ｅにおいてもＬＤＰＣ符号が採用されている。多値位相変調とＬＤＰＣ符号をはじめとする強力な誤り訂正符号を組み合わせることで、より高い周波数利用効率の伝送が可能となってきている。
【先行技術文献】
【非特許文献】
【０００８】
【非特許文献１】R.G Gallager,“Low density parity check codes,”in Research Monograph series Cambridge, MIT Press，1963年
【発明の概要】
【発明が解決しようとする課題】
【０００９】
従来技術において、一般的な衛星中継器３００を構成するＩＭＵＸフィルター、ＴＷＴ、ＯＭＵＸフィルターを想定し、ＴＷＴの動作点をＯＢＯ＝３．４ｄＢとした中継器シミュレーターを計算機シミュレーションにより再現し、判定帰還型ＦＩＲフィルター１０を有するブラインド等化器により、３２ＡＰＳＫ変調信号を波形等化した信号例を図１３に示す。図１３（ａ）は、ブラインド等化適用前のコンスタレーション、図１３（ｂ）はブラインド等化適用後のコンスタレーションである。
【００１０】
図１３を参照するに、ブラインド等化を実施することでError Vector Magnitudeが改善しており、波形の品質が向上していることが分かる。続いて、波形等化後のコンスタレーションと、パイロット信号点との位置関係を図１４に示す。図１４を参照するに、波形等化を実施することで、別途事前に受信しておいたパイロット信号点と波形等化後のコンスタレーションとでは特に最外周円において距離が離れていることが分かる。この距離は復調時に用いる尤度に影響を与え、伝送特性劣化の要因となる。よって、波形等化を行った信号に対し、より正確な尤度計算を行う際には、波形等化後の信号に合わせた適切な計算方法が必要となる。
【００１１】
特に、図１３を参照するに、波形等化を実施することで、受信信号のコンスタレーションは、信号点位置によってはより送信信号に近づくものと、十分に等化しきれず伝送路歪の影響が残ったものが共存するコンスタレーションとなる。仮に、従来からの復号器及び受信装置にて、十分に等化しきれず波形等化を行った信号に対し、その受信性能を評価しようとしても、各信号点の性能評価を行うのは計算コストが膨大なものとなる。例えば、変調多値数Ｍの場合、パイロット信号及び送信信号の選択の組み合わせは２Ｍ通りあり、３２ＡＰＳＫの場合、パイロット信号及び送信信号点の選択方法は２３２＝４２９４９６７２９６通りの組み合わせが存在し、これらについて全ての受信性能を調べることは非現実的である。
【００１２】
そこで、本発明の目的は、伝送路の歪補償の目的で波形等化した受信信号に対して、復号を目的とした尤度比の計算を実施する際に、等化した受信信号の信号点配置毎に、パイロット信号と呼ばれる既知情報を変調した信号と、送信信号点とを併用して、尤度比計算を実施することで伝送特性の改善を可能とするデジタル伝送方式の復号器及び受信装置を提供することにある。
【課題を解決するための手段】
【００１３】
本発明による復号器及び受信装置は、波形等化を行った信号に対し、より正確な尤度計算を行うための適切な計算手段として、受信装置において得られた上記パイロット信号と送信信号点を併用し、等化後の信号に対し、パイロット信号及び送信信号を選択して尤度比計算時の理想シンボル点として取り扱うように計算する。
【００１４】
2010178274.tif 000003
【００１５】
そこで、同一振幅を属するグループに属する信号点については、パイロット信号点及び送信信号点の選択をしないという拘束条件を設ける。例えば、３２ＡＰＳＫは同一振幅を有するグループは３種類であるため、２３通りの組み合わせから理想シンボル点配置を選択することが可能となる。続いて、この２３通りの組み合わせの中から最も復号特性の良い組み合わせを理想シンボル点配置として選択することで、波形等化後の信号に対し、より優れた伝送特性を得ることが可能となる。
【００１６】
即ち、本発明の復号器は、デジタル伝送の波形等化後のデータ誤りを所定の尤度テーブルを用いて訂正する復号器であって、変調方式に応じて復調した信号から、予め規定された信号点配置で周期的に伝送されるパイロット信号を抽出する既知信号抽出手段と、該抽出したパイロット信号の信号点を表すパイロット信号点配置と、予め定められた送信側信号点で規定されている送信信号点配置とを用いて、前記変調方式によって定まる同一振幅の種類に応じた数からなる１つ以上の尤度比計算用理想シンボル点配置を決定する理想シンボル決定手段と、前記１つ以上の尤度比計算用理想シンボル点配置を用いて、波形等化後のデータ誤りを評価する伝送特性評価手段と、前記評価において最も伝送特性性能の高くなる尤度比計算用理想シンボル点配置を、前記１つ以上の尤度比計算用理想シンボル点から切り替えながら選定し、主信号の通常受信時の復号時に用いる尤度テーブルを決定する尤度テーブル切り替え手段とを備えることを特徴とする。
【００１７】
また、本発明の復号器において、前記変調方式は、多値変調方式からなり、前記１つ以上の尤度比計算用理想シンボル点配置は、２つ以上の尤度比計算用理想シンボル点配置を構成することを特徴とする。
【００１８】
また、本発明の復号器において、前記波形等化は、適応等化器からなることを特徴とする。
【００１９】
また、本発明の復号器において、前記所定の尤度テーブルを用いてＬＤＰＣ復号を行うことを特徴とする。
【００２０】
更に、本発明の復号器は、前記所定の尤度テーブルを用いてＬＤＰＣ復号を行う点で特徴を有し、本発明の復号器を備える受信装置としても特徴付けられる。
【発明の効果】
【００２１】
本発明による復号器及び受信装置によれば、特に、複数の振幅レベルを有する多様な変調方式に対する波形等化後の伝送特性改善を図ることが可能となる。
【図面の簡単な説明】
【００２２】
【図１】本発明による一実施例のＬＤＰＣ復号部のブロック図を示す図である。
【図２】本発明による一実施例のＬＤＰＣ復号部の動作を説明するフローチャートである。
【図３】３２ＡＰＳＫの場合の送信信号点配置を示す図である。
【図４Ａ】３２ＡＰＳＫにおける尤度比計算用理想シンボル点配置の選択一覧を示す図である。
【図４Ｂ】３２ＡＰＳＫにおける尤度比計算用理想シンボル点配置の選択一覧を示す図である。
【図５】本発明による一実施例のＬＤＰＣ復号部におけるブラインド等化の３２ＡＰＳＫ符号化率４／５におけるＣ／Ｎ対ビット誤り率特性の計算機シミュレーション結果を示す図である。
【図６】衛星デジタル放送の伝送形態の一例を示す図である。
【図７】従来からの衛星放送方式の送信装置の構成を示す図である。
【図８】衛星放送方式の従来からの受信装置の概略構成を示すブロック図である。
【図９】衛星放送方式の変調波信号形式の例を示す図である。
【図１０】３２ＡＰＳＫにおけるパイロット信号の一送信形態例である。
【図１１】従来からの受信装置の一部のＬＤＰＣ復号部を示す図である。
【図１２】ブラインド等化器に備えられる判定帰還型ＦＩＲフィルターの概略図である。
【図１３】判定帰還型ＦＩＲフィルターを有するブラインド等化器により、３２ＡＰＳＫ変調信号を波形等化した信号例を示す図である。
【図１４】波形等化後のコンスタレーションと、パイロット信号点との位置関係を表す図である。
【発明を実施するための形態】
【００２３】
はじめに、本発明の理解を容易にするために、ＬＤＰＣ符号を用いた高度衛星放送方式の送信装置１００及び受信装置２００の概略構成を簡潔に説明する。尚、説明の簡略化のため、本発明に係る部分のみを説明するが、高度衛星放送方式の送信装置１００及び受信装置２００は、ＬＤＰＣ符号を他の訂正符号方式に置き換えたり、又は併用したり、更にはインタリーバを適宜組み合わせて用いることができる。
【００２４】
（送信装置）
図７は、従来からの高度衛星放送方式の送信装置の構成を示す図である。この送信装置１００は、フレーム生成部１１０と、ＬＤＰＣ符号化部１２０（以下、符号化器とも称する。）と、エネルギー拡散部１３０と、マッピング部１４０と、時分割多重／直交変調部１５０とを備える。即ち、送信装置１００は、データストリームを送信する場合に、後述する図９における複数スロットの多重フレームの信号を生成してから変調波信号を生成するまでの一連の処理を行う。
【００２５】
フレーム生成部１１０は、ＬＤＰＣ符号化部１２０とともに機能して、ＬＤＰＣパリティを生成する。従って、フレーム生成部１１０及びＬＤＰＣ符号化部１２０は、後述する図９における複数スロットのフレームを生成し、エネルギー拡散部１３０に出力する。尚、フレーム生成部１１０により生成される多重フレームは、スロット数、ダミーの量、スロット長、同期ビット長、パイロットビット長、並びにＴＭＣＣ及びパリティビット長が予め定められた数になるように生成される。
【００２６】
ＬＤＰＣ符号化部１２０は、データ及び伝送制御信号に対して、所定の周期のＬＤＰＣ符号化を施す。ＬＤＰＣ符号化の具体的な方法は既知であり、且つ本願の主題ではないため更なる説明を割愛する。
【００２７】
エネルギー拡散部１３０は、それぞれ多重フレームの所定数のスロットを入力し、これらのデータ等の全体に対して、エネルギー拡散（ビットランダム化）を行う。
【００２８】
エネルギー拡散部１３０からのビットランダム化した信号は、同期及びパイロット信号を適宜挿入しながら、各種変調方式（ＢＰＳＫ，ＡＰＳＫ等）に応じて切り換えられ、マッピング部１４０（変調方式に応じた複数のマッピング）に入力される。
【００２９】
マッピング部１４０は、ＴＭＣＣ同期で指定された変調方式によるマッピングを行う。
【００３０】
時分割多重／直交変調部１５０は、フレーム単位の時分割多重を行い、直交変調を施して、変調波信号を生成する。
【００３１】
（受信装置）
図８は、高度衛星放送方式の従来からの受信装置２００の概略構成を示すブロック図である。この受信装置２００は、チャンネル選択部２１０と、直交検波部２２０と、伝送制御信号復号部２３０と、エネルギー逆拡散部２４０と、ＬＤＰＣ復号部２５０とを備えている。
【００３２】
チャンネル選択部２１０は、送信装置１００からの変調波信号を受信し、所定の周波数帯のチャンネルを選択し、そのチャンネルの信号を直交検波部２２０で扱う所定の周波数の信号に変換にする。例えば、変調波信号が衛星放送波であれば、１２ＧＨｚ帯の放送波（変調波信号）をＢＳアンテナで受信し、既知の周波数変換器（図示せず）を用いて１ＧＨｚ帯のＢＳ−ＩＦ信号に変換する。
【００３３】
直交検波部２２０は、チャンネル選択部２１０により選択されたチャンネルの所定の周波数の信号（例えばＢＳ−ＩＦ信号）を入力し、同期ベースバンド信号に変換する。
【００３４】
伝送制御信号復号部２３０は、直交検波部２２０により変換された同期ベースバンド信号を入力し、まずＴＭＣＣ信号の同期バイトを検出し、これを基準として、周期的に多重されているＢＰＳＫ変調波である位相基準バースト信号の位置も検出する。また、ＴＭＣＣ信号により伝送される変調方式・誤り訂正の情報についてのＴＭＣＣ情報の復号処理もエネルギー逆拡散部２４０を経て行う。伝送制御信号復号部２３０により復号された伝送制御情報（変調方式・誤り訂正のＴＭＣＣ情報）は、ＬＤＰＣ復号部２５０に入力される。
【００３５】
エネルギー逆拡散部２４０は、送信装置１００のエネルギー拡散部１３０において擬似ランダム符号がＭＯＤ２により加算された処理を元に戻すため、再度同じ擬似ランダム符号をＭＯＤ２により加算し、エネルギー逆拡散処理を行う。
【００３６】
ＬＤＰＣ復号部２５０は、直交検波部２２０から同期ベースバンド信号が入力されるともに、伝送制御信号復号部２３０により検出された変調方式・誤り訂正の情報が入力され、当該同期ベースバンド信号をＬＤＰＣ符号の検査行列を用いて復号処理を行う。
【００３７】
このように、ＬＤＰＣ符号を用いた高度衛星放送方式の送信装置１００及び受信装置２００であれば、多値位相変調とＬＤＰＣ符号をはじめとする強力な誤り訂正符号を組み合わせて、より高い周波数利用効率の伝送が可能となる。
【００３８】
しかしながら、このようなＬＤＰＣ符号等の強力な誤り訂正符号は白色雑音に対する訂正能力は優れているものの、衛星伝送路固有の歪に対する信号劣化に対する訂正能力は十分ではない。特に１６ＡＰＳＫや３２ＡＰＳＫといった振幅位相変調を衛星伝送路に用いる場合、衛星中継器３００や地球局で用いるＴＷＴＡ等の増幅器で生じる波形歪による信号劣化が位相変調に比べ、より大きく発生する。
【００３９】
一般的に、増幅器で発生する波形歪を抑える方法としては飽和領域から出力レベルを下げることで増幅器をより線形領域で動作させる手法がとられる。しかしながら、この場合、歪による伝送劣化は収まる一方で、衛星中継器３００の出力が低下し、地上における受信信号の低下につながってしまう。よって、衛星放送等でＡＰＳＫを適用するには、衛星出力をなるべく低下することなく、歪による伝送劣化に強い伝送方法の利用が不可欠となる。
【００４０】
ＤＶＢ‐Ｓ２をはじめ最新の衛星デジタル放送方式では、誤り訂正符号の復号方法としてベイズ理論に基づく事後確率を最大化する手法（最尤復号）が用いられる。事後確率は尤度関数（式（１））により求まる。
【００４１】
【数１】
2010178274.tif 000004
【００４２】
尤度関数の定義より、尤度関数と、受信信号と理想信号点の距離を示すユークリッド距離は密接に関わっている。白色雑音のみの伝送路においては、受信信号点はＳ／Ｎに応じたガウス分布のランダム偏差を生じるが、白色雑音以外の特定の歪を含んだ伝送路においては、ランダム偏差に加え、特定の振幅・位相偏差を伴った信号点変移が起きる。特に、非線形増幅器にＡＰＳＫを入力した場合においては、ＡＰＳＫは複数種類の同心円を組み合わせて伝送する都合上、もっとも振幅の大きい同心円に属する信号点がより大きな信号偏差を生ずる。
【００４３】
尚、ｈｔｔｐ：／／ｗｗｗ．ｓｏｕｍｕ．ｇｏ．ｊｐ／ｊｏｈｏ＿ｔｓｕｓｉｎ／ｐｏｌｉｃｙｒｅｐｏｒｔｓ／ｊｏｈｏ＿ｔｓｕｓｉｎ／ｂｕｎｋａｋａｉ／０８０７２９＿１．ｈｔｍｌに「資料６０−１−２ 放送システム委員会報告」として公開されている、総務大臣から情報通信審議会（以下、情通審）への諮問２０２３号「放送システムに関する技術的条件」に対する、報告書「情報通信審議会  情報通信技術分科会  放送システム委員会  報告」(平成２０年７月２９日)に示された高度衛星デジタル放送方式（以下、高度衛星放送方式と呼ぶ。）では、ＡＰＳＫに対する伝送特性改善についても考慮している。
【００４４】
図９に高度衛星放送方式の変調波信号形式の例を示す。変調波信号は、フレーム単位で変調方式や誤り訂正符号の符号化率を含む伝送パラメータの変更が可能である。また、１フレームは１２０個の変調スロットで構成され、５変調スロットごとに変調方式と符号化率を指定して伝送可能である。各変調スロットは２４シンボルの同期信号、３２シンボルのパイロット信号、及び１３６シンボルのデータと４シンボルのＴＭＣＣ信号の対が、６６回、時分割多重される。
【００４５】
図１０に、パイロット信号の一送信形態例であり、あらかじめ伝送順序が決められた送信シンボルに対する既知送信ビットの対応図を示す。パイロット信号は、図１０に示すように、３２ＡＰＳＫの場合、シンボル“０００００”から“１１１１１”に対応する信号点が順に伝送される。図１０(a)、図１０（ｂ）、及び図１０（ｃ）は、それぞれ第１シンボル、第２シンボル、第３２シンボルに対応する信号点を「黒丸」で表している。
【００４６】
図１１に、このパイロット信号を用いる従来から知られている受信装置２００の一部のＬＤＰＣ復号部２５０を示す。パイロット信号を含まないシステムの場合、直交検波されたＩ信号及びＱ信号に対し、尤度テーブルを参照しながら、ＬＤＰＣ復号を行うが、このＬＤＰＣ復号部２５０では、パイロット信号についてシンボルごとに平均化を行い、伝送路における非線形歪の影響を受けた後の信号点配置を取得し、得られた信号点配置をもとに尤度テーブルを生成又は更新することで性能向上が可能である（同報告書の参考資料１‐８「パイロット信号による受信特性の改善」参照）。
【００４７】
具体的には、ＬＤＰＣ復号部２５０は、パイロット信号抽出部２５２と、パイロット信号平均化処理部２５３と、尤度テーブル生成部２５４と、所定のメモリ（図示せず）内に格納される尤度テーブル２５５と、ＬＤＰＣ復号器２５１とを備える。
【００４８】
パイロット信号抽出部２５２は、直交検波部２２０により変換された同期ベースバンド信号を入力し、事前に検出したＴＭＣＣ信号内のパイロットタイミングを表す同期情報の信号（パイロットタイミング信号）を用いてパイロット信号の信号点の位置を抽出し、順次、パイロット信号平均化処理部２５３に送出する。
【００４９】
パイロット信号平均化処理部２５３は、シンボルごとにパイロット信号の信号点の平均化を行って、この情報を尤度テーブル生成部２５４に送出する。
【００５０】
尤度テーブル生成部２５４は、シンボルごとに平均化されたパイロット信号の信号点についての復号器出力対数尤度比 （ＬＬＲ：Ｌｏｇ ｌｉｋｅｌｉｈｏｏｄ ｒａｔｉｏ）を表す、ＬＤＰＣ復号における尤度計算に用いる尤度テーブル２５５を生成し、所定のメモリ内に格納するか、又は更新する。尚、尤度テーブル２５５は、予め定められたスロット長で変調方式や符号化率に応じて個別に生成するのが好適であり、尤度テーブル２５５の生成に用いる変調方式及び符号化率の情報は、事前に検出したＴＭＣＣ信号内のＴＭＣＣ情報に従う信号（変調方式・符号化率選択信号と称する）から得られる。
【００５１】
ＬＤＰＣ復号器２５１は、尤度テーブル２５５のＬＬＲ、及び変調方式・符号化率選択信号に基づいて、直交検波部２２０により変換された同期ベースバンド信号の情報をＬＤＰＣ復号して復号信号を送出する。
【００５２】
尚、このような固定のパターン（即ち、パイロット信号点の繰り返しのパターン）を周期的に多重してしまうと、変調信号の周波数成分に線スペクトルが発生することになるために、パイロット信号も送信側でエネルギー拡散を行う。
【００５３】
ここで、受信装置において伝送路歪を補償する方法として適応等化器の利用が挙げられ、適応等化器の一形態として受信信号のみから伝送路歪の影響を軽減することが可能なブラインド等化器が良く用いられる（例えば、参考文献：Kil Nam OH, ”A Single/Multilevel Modulus Algorithm for Blind Equalization of QAM Signals”  IEICE TRANS. FUNDAMENTALS. VOL.E80-A, N.6. １９９７年６月、参照）
【００５４】
ブラインド等化器は適応フィルターの一種であり、フィルターのタップ長やステップサイズ、及び誤差ベクトルの計算方法を適切に選ぶことで、伝送路で生じた歪を軽減し、送信信号に近いシンボル点に受信信号点を変化させることが可能な波形等化器である。ブラインド等化器は、図１２に示す判定帰還型ＦＩＲフィルター１０を用いて検証することができる。ステップサイズsは２Ｅ−４、フィードフォワードフィルター（ＦＦ）１１のタップ長Ｍは１０、フィードバックフィルター（ＦＢ）１４のタップ長Ｌは１４とし、ブラインドアルゴリズムはＧＣＭＣＡアルゴリズムを用いる（上述の参考文献を参照）。
【００５５】
具体的には、判定帰還型ＦＩＲフィルター１０は、フィードフォワードフィルター（ＦＦ）１１と、等化器出力部１２と、判定部１３と、フィードバックフィルター（ＦＢ）１４と、加算部１５と、フィルター係数更新部１６を備える。
【００５６】
フィードフォワードフィルター（ＦＦ）１１は、タップ長Ｍに対応するフィルター係数ＷFF：[Ｗ０，Ｗ１，・・・，ＷＭ]を有し、入力信号ベクトルｘ（ｎ）に対して、入力ベクトル列ｘFF:[ｘ（ｎ），ｘ（ｎ−１），・・・，ｘ（ｎ−Ｍ）]Ｔを保持し、フィードフォワードフィルター係数ＷFFと入力ベクトル列ＸFFとの積和演算を行う。ここでＴは行列の転置を表す。
【００５７】
フィードバックフィルター（ＦＢ）１４は、タップ長Ｌに対応するフィルター係数ＷFB：[ＷＭ＋１，ＷＭ＋２，・・・，ＷＭ＋Ｌ]を有し、後述する判定部１３の判定器出力ｄ（ｎ）に対して、判定器出力列ｄFB：[ｄ（ｎ−１），d（ｎ−２），・・・，d（ｎ−Ｌ）]Ｔを保持し、フィードバックフィルター係数ＷFBと判定出力列dFBとの積和演算を行う。
【００５８】
加算部１５は、フィードフォワードフィルター（ＦＦ）１１の出力からフィードバックフィルター（ＦＢ）１４の出力１４ａを減算した値を等化器出力部１２に出力する。
【００５９】
判定部１３は、等化器出力部１２で得られた等化器出力ｚ（ｎ）に対して、既知の変調方式によって定める理想シンボル点との最小ユークリッド距離判定を行い、最小ユークリッド距離となる理想シンボル点を判定器出力ｄ（ｎ）としてフィードバックフィルター（ＦＢ）に出力する。同時に、フィルター係数更新のため、判定器出力ｄ（ｎ）をフィルター係数更新部１６に出力する。
【００６０】
等化器出力部１２は、加算部１５から得られた等化器出力ｚ（ｎ）を送出する。
【００６１】
ｚ（ｎ）＝ｘ’（ｎ）Ｔ・Ｗ（ｎ）        (2)
ここに、ｘ’（ｎ）＝[ｘ（ｎ），ｘ（ｎ−１），・・・，ｘ（ｎ−Ｍ），
ｄ（ｎ−１），ｄ（ｎ−２），・・・，ｄ（ｎ−Ｌ）]
【００６２】
同時に、フィルター係数更新のため、等化器出力ｚ（ｎ）をフィルター係数更新部１６に出力する。
【００６３】
フィルター係数更新部１６は、等化器出力ｚ（ｎ）及び判定器出力ｄ（ｎ）から誤差ベクトルｅ（ｎ）を求め、ｅ（ｎ）およびステップサイズｓを用いて、ＬＭＳアルゴリズムによりフィードフォワードフィルター（ＦＦ）係数ＷFF, フィードバックフィルター（ＦＢ）係数ＷFBを逐次更新する。（上述の参考文献を参照）。
【００６４】
そこで、本発明による実施例の復号器及び受信装置によれば、受信装置２００において得られたパイロット信号と送信信号点を併用し、等化後の信号に対し、パイロット信号及び送信信号を選択して尤度比計算時の理想シンボル点として取り扱うように計算し、より正確な尤度計算を行うことを可能にする。
【００６５】
以下、本発明による一実施例の復号器及び受信装置について説明する。
【００６６】
図１に、本発明による一実施例の復号器（ＬＤＰＣ復号部５０）のブロック図を示す。尚、本実施例のＬＤＰＣ復号部５０は、図８に示す受信装置２００における従来からのＬＤＰＣ復号部２５０と置き換えることで、本発明による一実施例の受信装置を構成することになる。従って、ＬＤＰＣ復号部５０を除く受信装置の動作は、図８に示すものと同様であり、更なる詳細な説明は省略する。
【００６７】
本実施例のＬＤＰＣ復号部５０は、パイロット信号抽出部５２と、パイロット信号平均化処理部５３と、尤度テーブルリスト生成部５４と、所定のメモリ（図示せず）内に格納される１つ以上の尤度テーブルを切り替える尤度テーブル切り替え部５５と、ＬＤＰＣ復号器５１と、ブラインド等化器５６と、ＢＥＲ評価部５７と、所定のメモリ（図示せず）内に予め格納される送信信号点テーブル５８とを備える。尚、本実施例のＬＤＰＣ復号部５０におけるパイロット信号抽出部５２、パイロット信号平均化処理部５３、及びＬＤＰＣ復号器５１は、それぞれ図１１に示すＬＤＰＣ復号部２５０におけるパイロット信号抽出部２５２、パイロット信号平均化処理部２５３、及びＬＤＰＣ復号器２５１と同様の機能を有し、同様に動作する。従って、本実施例のＬＤＰＣ復号部５０は、ブラインド等化器５６と、ＢＥＲ評価部５７と、送信信号点テーブル５８とを備え、且つ尤度テーブル２５５の代わりに尤度テーブル切り替え部５５を備える点で、図１１に示すＬＤＰＣ復号部２５０とは相違する。
【００６８】
ブラインド等化器５６は、図１２に示す判定帰還型ＦＩＲフィルター１０として機能する等化器であり、直交検波部２２０からエネルギー逆拡散部２４０を経て得られるＩ信号及びＱ信号に対し、波形等化を行った出力をＬＤＰＣ復号器５１に送出する。
【００６９】
送信信号点テーブル５８は、ＴＭＣＣ情報にて伝送される送信側の信号点を示すテーブルであり、尤度テーブルリスト生成部５４に供給される。
【００７０】
尤度テーブルリスト生成部５４は、この送信信号点テーブル５８を用いて、同一振幅に属するグループによってＭ種類に大別し、例えば受信するパイロット信号点をＰ、送信信号点テーブル５８に基づく送信信号点をＴと定義し、同一振幅ごとに区別したパイロット信号点及び送信信号点の組み合わせから、２Ｍ通りの尤度比計算用理想シンボル点を算出するとともに、これらの尤度比計算用理想シンボル点ごとに、シンボルごとに平均化されたパイロット信号の信号点についての復号器出力対数尤度比 （ＬＬＲ：Ｌｏｇ ｌｉｋｅｌｉｈｏｏｄ ｒａｔｉｏ）を表す、ＬＤＰＣ復号における尤度計算に用いる尤度テーブルを生成し、所定のメモリ内に格納するか、又は更新する。
【００７１】
ＢＥＲ評価部５７は、主信号(データ)の通常受信前に、ブラインド等化器５６から出力される波形等化後のパイロット信号について各尤度テーブルを用いたＬＤＰＣ復号器５１の出力のビット誤り率か、又はＬＤＰＣ復号器５１の所定の反復回数によって定まるビット誤り率を伝送特性結果として評価して、この評価結果を尤度テーブル切り替え部５５に出力する。
【００７２】
尤度テーブル切り替え部５５は、ＢＥＲ評価部５７から順次入力されるパイロット信号の伝送特性結果を取得して、２Ｍ通りの理想シンボル点配置の尤度テーブルを用いた評価結果を比較し、複数の理想シンボル点に対応する尤度テーブルのうち、最も性能の良い（ビット誤り率の低い）理想シンボル点の尤度テーブルを選択して、ＬＤＰＣ復号器５１に対する主信号の受信用に用いる尤度テーブルを決定する。尚、尤度テーブル切り替え部５５は、主信号の受信時には、この最も復号性能の良い理想信号点配置を保持し、以後の受信に継続して用いる。
【００７３】
次に、図１〜５を参照して、本実施例の復号器の動作について説明する。
【００７４】
図２は、本実施例の復号器の動作を説明するフローチャートである。ここで、前述したように、シンボル列は全て複素信号を想定している。また、本実施例の復号器５０を備える受信装置２００は、図６に示す衛星中継器３００を介して信号を受信することを想定し、伝送路歪みは送信部から伝送路を介して受信装置へ経る過程においてのみ発生することを想定する。また、以下の説明では３２ＡＰＳＫを例に説明する。
【００７５】
図３に、３２ＡＰＳＫの場合の送信信号点配置を示す。３２ＡＰＳＫの場合、受信点候補は３２点である。この受信点候補は、尤度テーブルリスト生成部５４により、同一振幅に属するグループによって３種類に大別される。例えば、パイロット信号点をＰ、送信信号点をＴと定義し、このＰとＴの組み合わせの表記を振幅の小さい順に、(Ｔ又はＰ， Ｔ又はＰ，Ｔ又はＰ，・・・) と定義する。一例として３２ＡＰＳＫにおいては３つの同一振幅で分類できるため、内周円、最内周円をパイロット信号点、最外周円を送信信号と選択した場合、（Ｐ，Ｐ，Ｔ）と表記することができる。
【００７６】
図２を参照するに、ステップＳ１にて、受信装置２００は、主信号の通常受信前に、パイロット信号抽出部５２及びパイロット信号平均化処理部５３を介して得られるパイロット信号を受信し、尤度テーブルリスト生成部５４により、このパイロット信号の信号点配置を決定する。
【００７７】
次に、ステップＳ２にて、受信装置２００は、尤度テーブルリスト生成部５４により、ＴＭＣＣ情報から得られる送信信号点配置の組み合わせからなる２３通り（３２ＡＰＳＫの場合、Ｍ＝３である）の理想シンボル点配置を決定する。図４Ａ及び図４Ｂに３２ＡＰＳＫにおける尤度比計算用理想シンボル点配置の選択一覧を示す。
【００７８】
次に、ステップＳ３にて、受信装置２００は、ＢＥＲ評価部５７により、２３通りの尤度比計算用の理想シンボル点を用いて、波形等化後の信号に対し、ビット誤り数やビット誤り率、又はＬＤＰＣ復号時の反復復号回数等を用いることで各理想シンボル点配置に対する伝送特性を評価する。
【００７９】
次に、ステップＳ４にて、受信装置２００は、尤度テーブル切り替え部５５により、各理想シンボル点配置に対する伝送特性の評価結果から、最も復号性能の良い信号点配置を選択して保持し、以後の受信に継続して用いるようにする。
【００８０】
図５に、上記８種類の理想シンボル点配置における、ブラインド等化３２ＡＰＳＫ符号化率４／５におけるＣ／Ｎ対ビット誤り率特性の計算機シミュレーション結果を示す。ここで、計算機シミュレーションに用いた伝送路の系統としては、衛星伝送路（図６参照）を想定した。衛星伝送路としては、一般的な衛星中継器を構成するＩＭＵＸフィルター、ＴＷＴ、ＯＭＵＸフィルターを想定し、計算機シミュレーションにより系統を再現した。ＴＷＴの動作点は３．４ｄＢについて計算を行った。ブラインド等化器は図１２に示す判定帰還型ＦＩＲフィルターを用いた。ステップサイズは２Ｅ−４、フィードフォワードフィルターのタップ長は１０、フィードバックフィルタータップ長は１４である。ブラインドアルゴリズムはＧＣＭＣＡアルゴリズムを用いた。
【００８１】
本実施例の復号器によれば、８種類の組み合わせのうち、最外周円が送信信号、内周円及び最内周円がパイロット信号の組み合わせ（Ｐ，Ｐ，Ｔ）（図４Ｂ（ｂ）のパターン）において、最も良い復号特性が得られることが分かる。よって、波形等化後の信号に対し、本方式を用いることで伝送性能の改善を図ることが可能である。本実施例の適応等化器としてはブラインド等化器を用いたが、ブラインド等化器以外の他の適応等化器を利用した場合においても、本方式は適用可能である。また、本方式は３２ＡＰＳＫに限らず、複数の振幅レベルを有する多様な変調方式に対する波形等化後の伝送特性改善を図ることが可能である。
【００８２】
また、上述の実施例では、特定の衛星中継器、変調方式、及びＬＤＰＣ符号を適用した場合について説明したが、本発明は、地上中継器や他の変調方式、並びに尤度計算を要する任意の誤り訂正符号に適用することができることは実施例の説明から明らかである。従って、本発明は、上述の実施例によって制限するものと解するべきではなく、特許請求の範囲によってのみ制限される。
【産業上の利用可能性】
【００８３】
本発明は、受信側で伝送路歪みを好適に低減させることができるので、任意のデジタル伝送方式の復号器及び受信装置に有用である。
【符号の説明】
【００８４】
１０  判定帰還型ＦＩＲフィルター
１１  フィードフォワードフィルター（ＦＦ）
１２  等化制御部
１３  判定部
１４  フィードバックフィルター（ＦＢ）
１５  加算部
５０  ＬＤＰＣ復号部
５１  ＬＤＰＣ復号器
５２  パイロット信号抽出部
５３  パイロット信号平均化処理部
５４  尤度テーブルリスト生成部
５５  尤度テーブル切り替え部
５６  ブラインド等化器
５７  ＢＥＲ評価部
５８  送信信号点テーブル
１００  送信装置
１１０  フレーム生成部
１２０  ＬＤＰＣ符号化部
１３０  エネルギー拡散部
１４０  マッピング部
１５０  時分割多重／直交変調部
２００  受信装置
２１０  チャンネル選択部
２２０  直交検波部
２３０  伝送制御信号復号部
２４０  エネルギー逆拡散部
２５０  ＬＤＰＣ復号部
２５１  ＬＤＰＣ復号器
２５２  パイロット信号抽出部
２５３  パイロット信号平均化処理部
２５４  尤度テーブル生成部
２５５  尤度テーブル
【図１】
2010178274.tif 000005
【図２】
2010178274.tif 000006
【図３】
2010178274.tif 000007
【図４Ａ】
2010178274.tif 000008
【図４Ｂ】
2010178274.tif 000009
【図５】
2010178274.tif 000010
【図６】
2010178274.tif 000011
【図７】
2010178274.tif 000012
【図８】
2010178274.tif 000013
【図９】
2010178274.tif 000014
【図１０】
2010178274.tif 000015
【図１１】
2010178274.tif 000016
【図１２】
2010178274.tif 000017
【図１３】
2010178274.tif 000018
【図１４】
2010178274.tif 000019